(57)【要約】  本発明は、ハウジング部（１１）と、開放位置と閉鎖位置との間で回動可能である旋回レバー（２０）と、導電性の接続装置（３０）であって、前記ハウジング部（１１）の導体導入開口部（１３）を介してアクセス可能である接続装置と、接点バネ（４０）であって、当該接点バネを用いて、前記導体導入開口部（１３）を介して前記ハウジング部（１１）に導入された導体（Ｌ）は、前記接続装置（３０）に対して力をかけることができる接点バネと、を備えるバネ接続部（１０）を開示し、当該バネ接続部は、解放位置とクランプ位置との間で回動可能な前記接点バネ（４０）が、押圧脚部（４１）と、湾曲ジョイント（４４）を介して当該押圧脚部（４１）と結合されたクランプ脚部（４５）とを有し、前記旋回レバー（２０）はプッシャ（２１）とドライバ（２２）とを有し、前記押圧脚部（４１）は少なくとも前記旋回レバー（２０）の閉鎖位置において、前記プッシャ（２１）と前記ドライバ（２２）との間に設けられており、前記旋回レバー（２０）を当該旋回レバーの閉鎖位置に回動させることにより、前記接点バネ（４０）が、当該接点バネのクランプ位置に回動されるように、前記プッシャ（２１）は前記押圧脚部（４１）に対して少なくとも間接的に力をかけ、それにより前記導体導入開口部（１３）を介して前記ハウジング部（１１）に導入された導体（Ｌ）は、前記クランプ脚部（４５）を用いて前記接続装置（３０）に対して力をかけられ、前記旋回レバー（２０）を当該旋回レバーの開放位置に回動させることにより、前記接点バネ（４０）が当該接点バネの解放位置に回動されるように、前記ドライバ（２２）は前記押圧脚部（４１）に対して少なくとも間接的に力をかけることを特徴としている。
2020508554.tif 000002
【特許請求の範囲】
【請求項１】
ハウジング部（１１）と、
開放位置と閉鎖位置との間で回動可能である旋回レバー（２０）と、
導電性の接続装置（３０）であって、前記ハウジング部（１１）の導体導入開口部（１３）を介してアクセス可能である接続装置と、
接点バネ（４０）であって、当該接点バネを用いて、前記導体導入開口部（１３）を介して前記ハウジング部（１１）に導入された導体（Ｌ）は、前記接続装置（３０）に対して力をかけることができる接点バネと、
を備えるバネ接続部（１０）において、
解放位置とクランプ位置との間で回動可能な前記接点バネ（４０）は、押圧脚部（４１）と、湾曲ジョイント（４４）を介して当該押圧脚部（４１）と結合されたクランプ脚部（４５）とを有し、
前記旋回レバー（２０）はプッシャ（２１）とドライバ（２２）とを有し、前記押圧脚部（４１）は少なくとも前記旋回レバー（２０）の閉鎖位置において、前記プッシャ（２１）と前記ドライバ（２２）との間に設けられており、
前記旋回レバー（２０）を当該旋回レバーの閉鎖位置に回動させることにより、前記接点バネ（４０）が当該接点バネのクランプ位置に回動されるように、前記プッシャ（２１）は前記押圧脚部（４１）に対して少なくとも間接的に力をかけ、それにより前記導体導入開口部（１３）を介して前記ハウジング部（１１）に導入された導体（Ｌ）は、前記クランプ脚部（４５）を用いて前記接続装置（３０）に対して力をかけられ、
前記旋回レバー（２０）を当該旋回レバーの開放位置に回動させることにより、前記接点バネ（４０）が当該接点バネの解放位置に回動されるように、前記ドライバ（２２）は前記押圧脚部（４１）に対して少なくとも間接的に力をかけることを特徴とするバネ接続部。
【請求項２】
請求項１に記載のバネ接続部（１０）であって、
前記接点バネ（４０）はまた、係合ジョイント（４２）を介して前記押圧脚部（４１）と結合されている係合脚部（４３）を有し、当該係合脚部は、前記プッシャ（２１）と前記ドライバ（２２）との間に設けられており、
前記接点バネ（４０）は少なくとも部分的に弾性的に形成されており、前記押圧脚部（４１）と係合脚部（４３）とに挟まれる角度は変化可能であり、
前記接点バネ（４０）を当該接点バネのクランプ位置に向かって回動させるとき、前記係合脚部（４３）は前記バネ接続部（１０）の係合装置（３５）と接触し、前記係合脚部（４３）と前記押圧脚部（４１）との間の角度は前記旋回レバー（２０）を用いて及ぼされる閉鎖力によって拡大可能であり、
前記旋回レバー（２０）の閉鎖位置において、前記係合脚部（４３）は前記係合装置（３５）に後方で係合し、それにより前記旋回レバーが当該旋回レバーの開放位置に向かって回動することは、前記係合ジョイント（４２）が弾性変形した状態でのみ可能とされ、
前記接点バネ（４０）を当該接点バネの解放位置に向かって回動させるとき、前記係合脚部（４３）と前記押圧脚部（４１）との間の角度が、前記旋回レバー（２０）を用いて及ぼされる開放力によって拡大されるように、前記ドライバ（２２）は前記係合脚部（４３）に力をかけることを特徴とするバネ接続部。
【請求項３】
請求項２に記載のバネ接続部（１０）であって、
前記導電性の接続装置（３０）は、二つの側壁（３２）と当該側壁（３２）の間に設けられた導電レール（３７）とを備えるスプリングケージ（３１）を有し、
電気伝導体（Ｌ）は前記導体導入開口部（１３）を介して導入方向（Ｒ）において前記スプリングケージの前記側壁（３２）の間に配置可能であり、
前記側壁（３２）の間に配置された電気伝導体（Ｌ）は、前記接点バネ（４０）を当該接点バネのクランプ位置に回動させることにより、前記クランプ脚部（４５）を用いて前記導電レール（３７）に対して力をかけることができ、
前記係合装置（３５）は少なくとも一つの係合突起（３５）を有し、当該係合突起は、側壁（３２）の前記導体導入開口部（１３）に対向しない縁部（３４）に形成されていることを特徴とするバネ接続部。
【請求項４】
前記接点バネ（４０）が二つのトラニオンフランジ（４７）を有し、当該トラニオンフランジは側方において前記湾曲ジョイント（４４）から反対方向に延在するとともに前記接点バネの旋回軸線（４８）を確定し、それにより前記接点バネ（４０）は解放位置とクランプ位置との間で回動可能であることを特徴とする請求項１から３のいずれか一項に記載のバネ接続部（１０）。
【請求項５】
請求項３及び４の組み合わせによるバネ接続部（１０）であって、
前記スプリングケージ（３１）の二つの側壁（３２）のそれぞれにおいて、それぞれ一の溝（３６）が、前記導体導入開口部（１３）に対向する縁部（３４）に形成されており、
前記接点バネ（４０）は、前記トラニオンフランジ（４７）が前記側壁（３２）の前記溝（３６）内に設けられているように、前記スプリングケージ（３１）内に取り付けられていることを特徴とするバネ接続部。
【請求項６】
前記接点バネ（４０）の旋回軸線（４８）であって、当該旋回軸線の周りに前記接点バネ（４０）が解放位置とクランプ位置との間で回動可能である旋回軸線が、前記導体導入開口部（１３）と前記旋回レバー（２０）の前記プッシャ（２１）及び／又は前記ドライバ（２２）との間に設けられていることを特徴とする請求項１から５のいずれか一項に記載のバネ接続部（１０）。
【請求項７】
前記旋回レバー（２０）の前記プッシャ（２１）及び前記ドライバ（２２）が、前記導体導入開口部（１３）と、旋回レバー軸（２３）であって、当該旋回レバー軸の周りに前記旋回レバー（２０）が開放位置と閉鎖位置との間で回動可能である旋回レバー軸との間に設けられていることを特徴とする請求項１から６のいずれか一項に記載のバネ接続部（１０）。
【請求項８】
前記接点バネ（４０）は少なくとも部分的に弾性的に形成されており、前記押圧脚部（４１）と前記クランプ脚部（４５）とに挟まれる角度は変化可能であり、それにより接点バネ（４０）がクランプ位置にあるとき、導体は前記導体導入開口部（１３）を介して前記ハウジング部（１１）に導入可能であるとともに、前記接点バネ（４０）が弾性変形した状態で、前記クランプ脚部（４５）と導電レール（３７）との間に配置可能であることを特徴とする請求項１から７のいずれか一項に記載のバネ接続部（１０）。
【請求項９】
前記接続装置（３０）は導電レール（３７）を有し、前記導体導入開口部（１３）を介して前記ハウジング部（１１）に導入された導体は当該導電レールと接触させることが可能であり、前記接点バネ（４０）のクランプ位置において前記クランプ脚部（４５）と前記導電レール（３７）とは、前記導体導入開口部（１３）に対して開かれた９０°以下の角度を含むことを特徴とする請求項８に記載のバネ接続部（１０）。
【請求項１０】
複数の請求項１から９のいずれか一項に記載のバネ接続部（１０）を備える円形差し込みコネクタ（１）であって、当該円形差し込みコネクタ（１）のハウジング（１１）は、前記バネ接続部（１０）のそれぞれのハウジング部（１１）を形成し、前記バネ接続部（１０）のそれぞれの導体導入開口部（１３）は、前記ハウジング（１１）の一の端面（１２）に設けられている、円形差し込みコネクタ。
【請求項１１】
それぞれのバネ接続部（１０）は互いに、前記バネ接続部（１０）のそれぞれの旋回レバー（２０）が、前記ハウジング（１１）の周囲に互いに角度をずらして設けられているように設けられていることを特徴とする請求項１０に記載の円形差し込みコネクタ（１）。
【発明の詳細な説明】
【技術分野】
【０００１】
本発明はバネ接続部と、多数のバネ接続部を備える円形差し込みコネクタとに関する。
【背景技術】
【０００２】
従来技術からバネ接続部であって、当該バネ接続部を用いて例えば二つの電気伝導体を互いに接続可能であるバネ接続部が知られている。
【０００３】
特許文献１は絶縁材ハウジングと、当該絶縁材ハウジング内に設けられたバネクランプ接続部とを備える電気的接続端子を説明しており、バネクランプ接続部はケージクランプスプリングを有し、ケージクランプスプリングは導電レール部に載置された当接脚部と、当接脚部に接続する戻り方向弾性湾曲部と、操作脚部とを有し、当該操作脚部は導電レール部に向かって湾曲したクランプ部に窓切欠きを有し、当該窓切欠きを介して導電レール部が貫通案内されており、前記窓切欠きの下側の横方向バーは、当該横方向バーと導電レール部との間に電気伝導体をクランプするためのクランプ箇所を形成し、舌片が操作脚部から前方へ、戻り方向弾性湾曲部と反対の方向に外に向かって突出し、バネクランプ接続部は操作レバーを有し、当該操作レバーはケージクランプスプリングの操作脚部のクランプ部の前方で、舌片に隣接した状態で回動可能に支承されており、舌片に載置するために位置調整された支持部を有する。
【０００４】
相応に構成された接続端子は複雑な幾何形状を有する。特にケージクランプスプリングは当該ケージスプリングの機能性を確保するために、多数の湾曲部を備える複雑な幾何形状と、窓切欠きを有さなければならない。さらに伝導体が接続端子に導入可能であり、かつ、ケージクランプスプリングによってクランプ可能であるのは、ケージクランプスプリングがその開放位置にあるときのみである。
【先行技術文献】
【特許文献】
【０００５】
【特許文献１】独国特許出願公開第１０２０１００４８６９８号
【発明の概要】
【発明が解決しようとする課題】
【０００６】
本発明は、改善されたバネ接続部であって、より簡単な構成と、より簡単かつより柔軟な操作性を有するバネ接続部を提供するという課題に基づくものである。
【課題を解決するための手段】
【０００７】
上記の課題は、本発明の請求項１の特徴を備えるバネ接続部によって解決される。有利な実施は、請求項１に従属する請求項に説明されている。
【０００８】
より詳しくいえば本発明が基づく課題は、ハウジング部と、開放位置と閉鎖位置との間で回動可能である旋回レバーと、導電性の接続装置であって、ハウジング部の導体導入開口部を介してアクセス可能である導電性の接続装置と、接点バネであって、当該接点バネを用いて導体導入開口部を介してハウジング部に導入された導体は、接続装置に対して力をかけることができる接点バネと、を備えるバネ接続部によって解決され、当該バネ接続部は、解放位置とクランプ位置との間で回動可能な接点バネが、押圧脚部と、湾曲ジョイントを介して当該押圧脚部と結合されたクランプ脚部とを有し、旋回レバーがプッシャとドライバとを有し、押圧脚部は少なくとも旋回レバーの閉鎖位置において、プッシャとドライバとの間に設けられており、旋回レバーを当該旋回レバーの閉鎖位置に回動させることにより、接点バネが当該接点バネのクランプ位置に回動されるように、プッシャは押圧脚部に対して少なくとも間接的に力をかけ、それにより導体導入開口部を介してハウジング部に導入された導体は、クランプ脚部を用いて接続装置に対して力をかけられ、旋回レバーを当該旋回レバーの開放位置に回動させることにより、接点バネが当該接点バネの解放位置に回動されるように、ドライバは押圧脚部に対して少なくとも間接的に力をかけることを特徴としている。
【０００９】
本発明に係るバネ接続部及び特に接点バネは、簡単な構成を有している。したがってバネ接続部の組み立ても簡略化された状態で可能となる。さらに、バネ接続部の構成が簡単であるにもかかわらず、旋回レバーの位置と接点バネの位置との強制連結は確保される。
【００１０】
したがって旋回レバーの移動は接点バネの回動と強制連結されており、特に接点バネを当該接点バネの解放位置に移行させることは、旋回レバーを用いて行わなければならない。旋回レバーを当該旋回レバーの閉鎖位置に移行させることにより、接点バネは押圧脚部の連動を介して接点バネのクランプ位置に回動され、旋回レバーを当該旋回レバーの開放位置に移行させることにより、接点バネは押圧脚部の連動を介して接点バネの解放位置に回動される。言い換えれば接点バネは旋回レバーを用いて、解放位置とクランプ位置との間でアクティブに回動可能である。したがって旋回レバーを回動させる際、接点バネは常に力をかけられ、もしくは旋回レバーに伴って動かされる。
【００１１】
本発明に係るバネ接続部はさらに、簡単な操作を有するが、それは本発明に係るバネ接続部が片手で操作されるためである。電気伝導体をバネ接続部に接続するために好ましくは、旋回レバーは当該旋回レバーの開放位置に回動されるが、これは以下において再度説明されるように、必ずしも必要ではない。旋回レバーが当該旋回レバーの開放位置にとどまったままで、続いて電気伝導体を、導体導入開口部を介してバネ接続部に導入することができ、その後、旋回レバーは当該旋回レバーの閉鎖位置に回動される。この操作は片手で実施可能である。
【００１２】
バネ接続部は特に、電気伝導体をさらなる電気的接続装置、例えば電気的接続ピン又は電気的雌型コネクタに接続するのに役立つ。この場合ハウジング部は、それぞれの極に対してそれぞれ一の導体導入開口部を有し、当該導体導入開口部を介して電気伝導体はハウジング部に導入可能であるとともに、それぞれ接続装置と接触させることができる。
【００１３】
ハウジング部も旋回レバーも電気的絶縁材料から形成されているか、あるいはハウジング部及び旋回レバーが電気伝導体もしくは接点バネと接触する箇所において、電気的絶縁材料を含んでいる。電気的絶縁材料は特にプラスチックである。
【００１４】
接点バネは特に脚バネとして形成されていてよく、好ましくはバネ鋼から成るか、あるいは少なくとも湾曲ジョイントの領域内にバネ鋼を含む。接点バネはまた、旋回軸線周りに回動可能であり、当該旋回軸線はハウジング部及び／又は接続装置及び／又は接点バネの幾何形状によって確定されている。
【００１５】
プッシャは第一のドライバ、第一の押圧要素又は第一の押圧面とも称され得る。プッシャは好ましくは旋回レバーの内面の部分として形成されている。ドライバは第二のドライバ、第二の押圧エッジ、復旧エッジ、復旧ピン、又は復旧突起とも称され得る。
【００１６】
導電性の接続装置は好ましくは電流バーを有している。
【００１７】
旋回レバーのプッシャもしくはドライバを用いて押圧脚部に対して、少なくとも間接的に力をかけることは、好ましくは係合ジョイントを介して押圧脚部と結合されている係合脚部を用いて行われる。
【００１８】
押圧脚部は少なくとも旋回レバーの閉鎖位置において、プッシャとドライバとの間に設けられている。
【００１９】
バネ接続部は好適に、以下のように形成されている。すなわち、接点バネがまた、係合ジョイントを介して押圧脚部と結合されている係合脚部を有し、当該係合脚部は、プッシャとドライバとの間に設けられており、接点バネは少なくとも部分的に弾性的に形成されており、押圧脚部と係合脚部とに挟まれる角度は変化可能であり、接点バネを当該接点バネのクランプ位置に向かって回動させるとき、係合脚部はバネ接続部の係合装置と接触し、係合脚部と押圧脚部との間の角度は旋回レバーを用いて及ぼされる閉鎖力によって拡大可能であり、旋回レバーの閉鎖位置において係合脚部は係合装置に後方で係合し、それにより旋回レバーが当該旋回レバーの開放位置に向かって回動することは、係合ジョイントが弾性変形した状態でのみ可能とされ、接点バネを当該接点バネの解放位置に向かって回動させるとき、係合脚部と押圧脚部との間の角度が旋回レバーを用いて及ぼされる開放力によって拡大されるように、ドライバは係合脚部に力をかける。
【００２０】
相応に形成されたバネ接続部は、以下のような有利点を有する。すなわち、旋回要素の閉鎖位置において接点バネが、バネ接続部の係合装置と係合し、それにより旋回レバーは、所定の開放力を上回るときだけ、当該旋回レバーの開放位置に回動することができる。これによりバネ接続部と接続された電気伝導体の確実な接触が確保されている。
【００２１】
旋回レバーを当該旋回レバーの閉鎖位置に回動させることにより、プッシャは係合脚部及びそれとともに押圧脚部に対して、接点バネが当該接点バネのクランプ位置に回動されるように間接的に力をかけ、それにより、導体導入開口部を介してハウジング部に導入された導体は、クランプ脚部を用いて接続装置に対して力をかけられる。
【００２２】
旋回要素を当該旋回要素の開放位置に回動させることにより、ドライバは係合脚部及びそれとともに押圧脚部に対して、接点バネが当該接点バネの解放位置に回動されるように間接的に力をかける。
【００２３】
係合脚部と押圧脚部との間の角度を拡大することにより、係合脚部は係合装置に後方で係合しなくなり、それにより接点バネを当該接点バネの解放位置に回動させることは、旋回レバーを当該旋回レバーの開放位置に回動させることにより、ほぼ抵抗なく可能である。
【００２４】
係合ジョイントの予備曲げ加工は、好ましくは湾曲ジョイントの予備曲げ加工と同じ向きである。
【００２５】
係合ジョイントは接点バネの第二の湾曲ジョイントとも称され得る。その場合、押圧脚部とクランプ脚部との間の湾曲ジョイントは第一の湾曲ジョイントと称される。
【００２６】
係合装置は係合突出部又は係合突起とも称され得る。係合装置はハウジング部の部分として形成されていてよい。
【００２７】
バネ接続部は好ましくはまた、以下のように形成されている。すなわち、導電性を有する接続装置が、二つの側壁と当該側壁の間に設けられた導電レールとを備えるスプリングケージを有し、電気伝導体は導体導入開口部を介して導入方向においてスプリングケージの側壁の間に配置可能であり、側壁の間に配置された電気伝導体は、接点バネを当該接点バネのクランプ位置に回動させることにより、クランプ脚部を用いて導電レールに対して力をかけることができ、係合装置は少なくとも一つの係合突起を有し、当該係合突起は、側壁の導体導入開口部に対向しない縁部に形成されている。
【００２８】
スプリングケージは好ましくは、電流バーとも称され得る導電レールと電気的に接続されている。さらに好ましくはスプリングケージと導電レールは一体式に形成されている。またさらに好ましくは、スプリングケージはＵ字形の断面幾何形状を有している。
【００２９】
接点バネのクランプ位置において、クランプ脚部は電気伝導体に対して導電レールに接するように力をかける。
【００３０】
バネ接続部は好ましくは、接点バネが二つのトラニオンフランジを有し、当該トラニオンフランジは側方において湾曲ジョイントから反対方向に延在するとともに接点バネの旋回軸線を確定し、それにより接点バネは開放位置とクランプ位置との間で回動可能であるように形成されている。
【００３１】
バネ接続部は好ましくはまた、スプリングケージの二つの側壁のそれぞれにおいて、それぞれ一の溝が導体導入開口部に対向する縁部に形成されており、接点バネは、トラニオンフランジが側壁の溝内に設けられているように、スプリングケージ内に取り付けられているように形成されている。
【００３２】
接点バネとスプリングケージとを相応に形成することにより、接点バネは特に簡単なやり方でバネ接続部内に取り付けることができ、それにより相応に形成されたバネ接続部の構成と取り付けは特に容易である。
【００３３】
バネ接続部は好ましくは、接点バネの旋回軸線であって、当該旋回軸線周りに接点バネが解放位置とクランプ位置との間で回動可能である旋回軸線が、導体導入開口部と、旋回レバーのプッシャ及び／又はドライバとの間に設けられているように形成されている。
【００３４】
バネ接続部はまた好ましくは、旋回レバーのプッシャ及びドライバが、導体導入開口部と、旋回レバー軸であって、当該旋回レバー軸周りに旋回レバーが開放位置と閉鎖位置との間で回動可能である旋回レバー軸との間に設けられているように形成されている。
【００３５】
接点バネの旋回軸線と旋回レバー旋回軸とを相応に構成することにより、旋回レバーと接点バネは常に反対方向に回動する。すなわち例えば旋回レバーが時計回りに当該旋回レバーの開放位置から閉鎖位置へと回動されるとき、接点バネは反時計回りに接点バネの解放位置からクランプ位置へと回動する。これにより相応に形成されたコンタクトプラグは非常にコンパクトに構成される。
【００３６】
バネ接続部は好ましくは、以下のように形成されている。すなわち、接点バネは少なくとも部分的に弾性的に形成されており、押圧脚部とクランプ脚部とに挟まれる角度は変化可能であり、それにより接点バネがクランプ位置にあるとき、導体は導体導入開口部を介してハウジング部に導入可能であるとともに、接点バネが弾性変形した状態でクランプ脚部と導電レールとの間に配置可能である。
【００３７】
相応に形成されたバネ接続部は、旋回要素が閉鎖位置にあり、したがって接点バネがクランプ位置にあるにもかかわらずまた、好ましくは柔軟性のない導体が導体導入開口部を介してハウジング部に導入可能であるとともに、接続装置に接続させられ得るという有利点を提供し、さらに、導体が接点バネを用いて接続装置に対して力をかけ、それにより締め付け固定されていることが確保されている。したがって相応に形成されたバネ接続部の操作性は著しく改善されているが、それは、電気伝導体をバネ接続部に接触させるために、旋回要素を必ずしも当該旋回要素の解放位置に回動させる必要がないからである。
【００３８】
バネ接続部はまた好ましくは、接続装置が導電レールを有し、導体導入開口部を介してハウジング部に導入された導体は当該導電レールと接触させることが可能であり、接点バネのクランプ位置においてクランプ脚部と導電レールとは、導体導入開口部に対して開かれた９０°以下の角度を含むように、形成されている。
【００３９】
バネ接続部及び特に接点バネを相応に構成することにより、旋回要素が閉鎖位置にあるにもかかわらず、導体の導入をさらに簡易化することが可能となる。さらに接続装置内に導入された導体に対するクランプ脚部の相応の角度位置により、接点バネのクランプ脚部は、導体が望まれずに引き出されないように、より良好に作用することが保証されるが、それは導体がハウジング部から引き出される際、接点バネのクランプ脚部の縁部が導体に入り込むからである。
【００４０】
本発明はまた、簡単な構成と、簡単かつ柔軟な操作性とを有する改良された円形差し込みコネクタを提供するという課題に基づいている。
【００４１】
上記の課題は請求項１０の特徴を備える円形差し込みコネクタによって解決される。
【００４２】
より詳細には本発明の基礎となる上記の課題は、多数の上記のバネ接続部を備える円形差し込みコネクタによって解決され、当該円形差し込みコネクタのハウジングはバネ接続部のそれぞれのハウジング部を形成し、バネ接続部のそれぞれの導体導入開口部は、ハウジングの一の端面に設けられている。
【００４３】
ハウジングは好ましくは、極数に相当する数の旋回レバーと、接続装置と、接点バネとを受容する。
【００４４】
円形差し込みコネクタは好ましくは、バネ接続部のそれぞれの旋回レバーがハウジングの周囲に互いに角度をずらして設けられているように、それぞれのバネ接続部が互いに設けられているように形成されている。
【００４５】
円形差し込みコネクタを相応に構成することにより、当該円形差し込みコネクタは特にコンパクトに構成される。さらに旋回レバーは、対応する構成において簡略化された状態での操作が可能である。
【００４６】
本発明のさらなる有利点、詳細、及び特徴は以下において説明される実施の形態に記載されている。個々に示すのは以下のとおりである。
【図面の簡単な説明】
【００４７】
【図１Ａ】本発明に係るバネ接続部を、旋回レバーがその開放位置から閉鎖位置へと移行する異なる位相において側方断面で示す図であり、バネ接続部のハウジング部は表示されていない。
【図１Ｂ】バネ接続部が組み込まれた円形差し込みコネクタを、旋回レバーがその開放位置から閉鎖位置へと移行する異なる位相において側方断面で示す図である。
【図２Ａ】本発明に係るバネ接続部を、旋回レバーがその開放位置から閉鎖位置へと移行する異なる位相において側方断面で示す図であり、バネ接続部のハウジング部は表示されていない。
【図２Ｂ】バネ接続部が組み込まれた円形差し込みコネクタを、旋回レバーがその開放位置から閉鎖位置へと移行する異なる位相において側方断面で示す図である。
【図３Ａ】本発明に係るバネ接続部を、旋回レバーがその開放位置から閉鎖位置へと移行する異なる位相において側方断面で示す図であり、バネ接続部のハウジング部は表示されていない。
【図３Ｂ】バネ接続部が組み込まれた円形差し込みコネクタを、旋回レバーがその開放位置から閉鎖位置へと移行する異なる位相において側方断面で示す図である。
【図４Ａ】本発明に係るバネ接続部を、旋回レバーがその開放位置から閉鎖位置へと移行する異なる位相において側方断面で示す図であり、バネ接続部のハウジング部は表示されていない。
【図４Ｂ】バネ接続部が組み込まれた円形差し込みコネクタを、旋回レバーがその開放位置から閉鎖位置へと移行する異なる位相において側方断面で示す図である。
【図５Ａ】本発明に係るバネ接続部を、旋回レバーがその閉鎖位置から開放位置へと移行する異なる位相において側方断面で示す図であり、バネ接続部のハウジング部は表示されていない。
【図５Ｂ】バネ接続部が組み込まれた円形差し込みコネクタを、旋回レバーがその閉鎖位置から開放位置へと移行する異なる位相において側方断面で示す図である。
【図６Ａ】本発明に係るバネ接続部を、旋回レバーがその閉鎖位置から開放位置へと移行する異なる位相において側方断面で示す図であり、バネ接続部のハウジング部は表示されていない。
【図６Ｂ】バネ接続部が組み込まれた円形差し込みコネクタを、旋回レバーがその閉鎖位置から開放位置へと移行する異なる位相において側方断面で示す図である。
【図７Ａ】本発明に係るバネ接続部を、旋回レバーがその閉鎖位置から開放位置へと移行する異なる位相において側方断面で示す図であり、バネ接続部のハウジング部は表示されていない。
【図７Ｂ】バネ接続部が組み込まれた円形差し込みコネクタを、旋回レバーがその閉鎖位置から開放位置へと移行する異なる位相において側方断面で示す図である。
【図８Ａ】本発明に係るバネ接続部を、旋回レバーがその閉鎖位置から開放位置へと移行する異なる位相において側方断面で示す図であり、バネ接続部のハウジング部は表示されていない。
【図８Ｂ】バネ接続部が組み込まれた円形差し込みコネクタを、旋回レバーがその閉鎖位置から開放位置へと移行する異なる位相において側方断面で示す図である。
【図９】図１Ａから図８Ａにおいて表示された本発明に係るバネ接続部を、当該バネ接続部のハウジング部及び旋回レバーなしで斜視的に表示する図である。
【図１０Ａ】本発明に係るバネ接続部の接点バネを側方から見た図である。
【図１０Ｂ】図１０Ａに示される接点バネを斜視的に表示する図である。
【図１１Ａ】本発明に係るバネ接続部が５個組み込まれた、図１Ｂから図８Ｂに表示される円形差し込みコネクタを斜視的に表示する図であり、全ての旋回レバーはその開放位置にある。
【図１１Ｂ】図１１Ａに示す円形差し込みコネクタであり、全ての旋回レバーはその閉鎖位置にある。
【発明を実施するための形態】
【００４８】
以下の説明において同一の参照番号は、同一の部材もしくは同一の特徴を表し、それにより一の図に関して一の部材について行われる説明は他の図にも該当し、それにより重複する説明が避けられる。さらに一の実施の形態に関連して説明された個々の特徴は、別個に他の実施の形態においても用いることができる。
【００４９】
図１Ａから図４Ａは、本発明に係るバネ接続部１０を、バネ接続部１０の旋回レバー２０がその開放位置から閉鎖位置へと移行する異なる位相において側方断面表示で示しており、図１Ａにおいて旋回レバー２０はその開放位置にあり、図４Ａではその閉鎖位置にある。図１Ａから図４Ａにおいて、バネ接続部のハウジング部１１は表示されていない。図１Ｂから図４Ｂでは、本発明に係る円形差し込みコネクタ１を側方断面表示で示しており、円形差し込みコネクタ１は多数の、本図では５個のバネ接続部１０を有する。それぞれの旋回レバー２０は、図１Ａから図４Ａにおいて示される位置と同一の位置にある。
【００５０】
図５Ａから図８Ａは、本発明に係るバネ接続部１０を、バネ接続部１０の旋回レバー２０がその閉鎖位置から開放位置へと移行する異なる位相において側方断面表示で示しており、図５Ａにおいて旋回レバー２０はその閉鎖位置にあり、図８Ａではその開放位置にある。図５Ａから図８Ａにおいても、バネ接続部１０のハウジング部１１は表示されていない。図５Ｂから図８Ｂでは、円形差し込みコネクタ１を側方断面表示で示しており、それぞれの旋回レバー２０は、図５Ａから図８Ａにおいて示される位置と同一の位置にある。
【００５１】
図９において本発明に係るバネ接続部１０は単独で斜視的表示において示されており、ハウジング部１０も旋回レバー２０も表示されていない。図１０Ａ及び図１０Ｂには本発明に係るバネ接続部１０の接点バネ４０が表示され、図１０Ａにおいて接点バネ４０は側方から見た平面図で表示され、図１０Ｂでは空間的に表示されている。本発明に係る円形差し込みコネクタ１は、図１１Ａ及び図１１Ｂにおいて空間的に表示されており、図１１Ａによる表示において、それぞれのバネ接続部１０のそれぞれの旋回レバー２０は、当該旋回レバーの開放位置にあるのに対して、図１１Ｂにおいてそれぞれの旋回レバー２０は、当該旋回レバーの閉鎖位置にある状態で表示されている。
【００５２】
本発明に係るバネ接続部１０はハウジング部１１を有し、当該ハウジング部は図に示す実施の形態では円形差し込みコネクタ１のハウジング１１として形成されている、したがって図１Ｂから図８Ｂ及び図１１Ａ及び図１１Ｂに示す円形差し込みコネクタ１のハウジング１１は、５個のバネ接続部１０のそれぞれのハウジング部１１を形成する。
【００５３】
それぞれのバネ接続部１０は、開放位置と閉鎖位置との間で回動可能である旋回レバー２０を有する。図１Ａ及び図８Ａにおいて旋回レバー２０は、当該旋回レバーの開放位置において表示されており、図４Ａ及び図５Ａにおいて旋回レバー２０は、当該旋回レバーの閉鎖位置において表示されている。図２Ａ，図３Ａ，図６Ａ及び図７Ａにおいて旋回レバー２０は、開放位置と閉鎖位置との間の中間位置において示されている。
【００５４】
本発明に係るバネ接続部１０はまた、導電性接続装置３０を有し、当該導電性接続装置はハウジング１１の導体導入開口部１３を介してアクセス可能である。導電性接続装置３０は、スプリングケージ３１を有し、当該スプリングケージはまた二つの側壁３２と、当該側壁３２の間に設けられた導電レール３７とを有する。電気伝導体Ｌは導体導入開口部１３を介して図１Ａにおいて表示された導入方向Ｒにおいて、スプリングケージ３１の側壁３２同士の間に配置可能である。
【００５５】
バネ接続部１０はまた、接点バネ４０を有し、導体導入開口部１３を介してハウジング１１内に、かつ二つの側壁３２の間に導入される導体Ｌは、当該接点バネを用いて、接続装置３０に対して、より正確には接続装置３０の導電レール３７に対して力をかけることができる。
【００５６】
図１０Ａ及び図１０Ｂから、接点バネ４０が押圧脚部４１と、湾曲ジョイント４４を介して当該押圧脚部と接続されたクランプ脚部４５とを有することが明らかである。接点バネ４０はまた、係合ジョイント４２を介して押圧脚部４１と結合されている係合脚部４３を有する。湾曲ジョイント４４の湾曲は、係合ジョイント４２の湾曲と同じ向きであることが分かる。図１０Ａ及び図１０Ｂからまた、クランプ脚部４５が湾曲された状態で形成されており、その端部にクランプ縁部４６を有することが明らかである。
【００５７】
接点バネ４０は図１Ａ及び図８Ａにおいて表示された解放位置と、図４Ａ及び図５Ａにおいて表示されたクランプ位置との間で回動可能である。特に図９から明らかなように、接点バネ４０は二つのトラニオンフランジ４７を有し、当該トラニオンフランジは側方において湾曲ジョイント４０から反対方向に延在するとともに、接点バネ４０の旋回軸線４８を確定し、それにより接点バネ４０は解放位置とクランプ位置との間で回動可能である。図９からまた、スプリングケージ３１の二つの側壁３２において、それぞれ一の溝３６が導体導入開口部１３に対向する縁部３４に形成されていることが明らかである。このとき接点バネ４０は、トラニオンフランジ４７が側壁３２の溝３６内に設けられているように、スプリングケージ３１内に取り付けられている。
【００５８】
特に図１Aから明らかなように、旋回レバー２０はプッシャ２１を有し、当該プッシャは表示された実施の形態では旋回レバー２０の押圧面２１として形成されている。このとき押圧面２１もしくはプッシャ２１は、旋回レバー２０の内面２１として形成されている。旋回レバー２０はまた、ドライバ２２を有し、当該ドライバは表示された実施の形態では湾曲ピン２２として形成されており、当該湾曲ピンは中間空間を形成しながら内面２１と接続されている。特に図４Ａから明らかなように、押圧脚部４１は旋回レバー２０の閉鎖位置において、プッシャ２１とドライバ２２との間、及びそれとともに内面２１とドライバ２２との間の中間空間に設けられている。図１Ａから図８Ａを見ると、係合脚部４３がプッシャ２１とドライバ２２との間に設けられていることが明らかである。
【００５９】
接点バネは表示された実施の形態では弾性的に形成されており、例えばバネ鋼から形成されている。したがって押圧脚部４１とクランプ脚部４５の間の角度は変化可能である。さらに押圧脚部４１と係合脚部４３の間の角度も変化可能である。旋回レバー２０を当該旋回レバーの閉鎖位置に回動させるとき、プッシャ２１は係合脚部４３を介して押圧脚部４１に対して、接点バネ４０が当該接点バネのクランプ位置に回動されるように力をかけ、それにより、導体導入開口部１３を介してハウジング１１に導入された導体Ｌは、クランプ脚部４５を用いて導電レール３７に対して力をかけられる。反対に旋回レバー２０を当該旋回レバーの閉鎖位置から開放位置に回動させるとき、対応する旋回レバー２０の回動移動は図５Ａから図８Ａに表示されているが、ドライバ２２は係合脚部４３を介して押圧脚部４１に対して、接点バネ４０が当該接点バネの解放位置に回動されるように力をかける。
【００６０】
図から、特に図９から、バネ接続部１０が係合装置３５を有することが明らかであり、当該係合装置は表示された実施の形態では、側壁３２の導体導入開口部１３に対向しない縁部３４に設けられた二つの係合突起３５として形成されている。
【００６１】
特に図３Ａ及び図４Ａから明らかなように、接点バネ４０が当該接点バネのクランプ位置に向かって回動されるとき、係合脚部４３は係合突起３５と接触し、係合脚部４３と押圧脚部４１との間の角度は、旋回レバー２０を用いて及ぼされる閉鎖力によって拡大される。特に図４Ａ及び図５Ａから明らかなように、旋回レバー２０の閉鎖位置において係合脚部４３は係合突起３５に後方で係合し、それにより旋回レバー２０が当該旋回レバーの開放位置に向かって回動することは、係合ジョイント４２が弾性変形した状態でのみ可能とされている。特に図６Ａから明らかなように、接点バネ４０を当該接点バネの解放位置に向かって回動するとき、係合脚部４３と押圧脚部４１との間の角度が旋回レバー２０を用いて及ぼされる開放力によって拡大されるように、ドライバ２２は係合脚部４３に力をかける。
【００６２】
したがって本発明に係るバネ接続部１０は以下のように形成されている、すなわち、旋回レバー２０を当該旋回レバーの開放位置から閉鎖位置に移行する際、押圧脚部４１は旋回レバー２０の内面２１を用いて、少なくとも間接的に力をかけられる。これに対して旋回レバー２０を当該旋回レバーの閉鎖位置から開放位置に回動する際、押圧脚部４１はドライバ２２を介し、係合脚部４３を用いて力をかけられる。したがって旋回レバー２０のポジションもしくは位置と、接点バネ４０のポジションもしくは位置との間には強制連結が存在する。
【００６３】
図１Ａ乃至図８Ｂから、接点バネ４０の旋回軸線４８であって、当該旋回軸線周りに接点バネ４０が解放位置とクランプ位置との間で回動可能である旋回軸線が、導体導入開口部１３と、旋回レバー２０のプッシャ２１及びドライバ２２との間に設けられていることが明らかである。さらにこれらの図から、旋回レバー２０のプッシャ２１及びドライバ２２が、導体導入開口部１３と、旋回レバー軸２３であって、当該旋回レバー軸周りに旋回レバー２０が当該旋回レバーの開放位置と閉鎖位置との間で回動可能である旋回レバー軸との間に設けられていることが明らかである。旋回軸線４８と旋回レバー軸２３とを相応に配置することにより、旋回レバー２０と接点バネ４０は常に反対方向に回動する。例えば旋回レバー２０が反時計回りに当該旋回レバーの開放位置から閉鎖位置へと回動されるとき、接点バネ４０は時計回りに当該接点バネの解放位置からクランプ位置へと回動する。これに対して例えば旋回レバー２０が時計回りに当該旋回レバーの閉鎖位置から開放位置へと回動されるとき、接点バネ４０は反時計回りに当該接点バネのクランプ位置から解放位置へと回動する。
【００６４】
接点バネ４０が弾性的に形成されているために、押圧脚部４１とクランプ脚部４５との間の角度は変化可能であり、それにより接点バネ４０がクランプ位置にあるとき、導体Ｌは導体導入開口部１３を介してハウジング１１に導入可能であるとともに、接点バネ４０が弾性変形した状態でクランプ脚部４５と導電レール３７との間に配置可能である。特に図４Ａ及び図５Ａから、接点バネ４０のクランプ位置において、クランプ脚部４５と導電レール３７とは、導体導入開口部１３に対して開かれた９０°より小さい角度を含むことが明らかである。これにより電気伝導体Ｌをバネ接続部１０に導入することが容易になる。しかしながらそれよりもまた、クランプ縁部４６が電気伝導体Ｌに侵入し、それにより接点バネ４０がクランプ位置にあるとき、電気伝導体Ｌが引き出されないように作用するので、電気伝導体Ｌが意図せずにバネ接続部１０から引き出されないような作用が及ぼされる。
【符号の説明】
【００６５】
１  円形差し込みコネクタ
１０  バネ接続部／バネプラグ
１１  バネ接続部のハウジング部／円形差し込みコネクタのハウジング
１２  （ハウジングの）端面
１３  （ハウジングの）導体導入開口部
２０  旋回レバー
２１  プッシャ／（旋回レバーの）押圧面
２２  （旋回レバーの）ドライバ
２３  旋回レバー軸
３０  接続装置
３１  （接続装置の）スプリングケージ
３２  （スプリングケージの）側壁
３３  （導体導入開口部に対向しない側壁の）（第一の）縁部
３４  （導体導入開口部に対向する側壁の）（第二の）縁部
３５  係合装置／（接続装置の／スプリングケージの／側壁の）係合突起
３６  （側壁の）溝
３７  （接続装置の／スプリングケージの）導電レール
３８  接続ピン
４０  接点バネ／クランプバネ
４１  （接点バネの）押圧脚部
４２  （接点バネの）係合ジョイント
４３  （接点バネの）係合脚部
４４  （接点バネの）湾曲ジョイント
４５  （接点バネの）クランプ脚部
４６  （クランプ脚部の）クランプ縁部
４７  （接点バネの）トラニオンフランジ
４８  （接点バネの）旋回軸線
Ｌ  電気伝導体
Ｒ  （電気伝導体のバネ接続部への）導入方向
【図１Ａ】
2020508554.tif 000003
【図１Ｂ】
2020508554.tif 000004
【図２Ａ】
2020508554.tif 000005
【図２Ｂ】
2020508554.tif 000006
【図３Ａ】
2020508554.tif 000007
【図３Ｂ】
2020508554.tif 000008
【図４Ａ】
2020508554.tif 000009
【図４Ｂ】
2020508554.tif 000010
【図５Ａ】
2020508554.tif 000011
【図５Ｂ】
2020508554.tif 000012
【図６Ａ】
2020508554.tif 000013
【図６Ｂ】
2020508554.tif 000014
【図７Ａ】
2020508554.tif 000015
【図７Ｂ】
2020508554.tif 000016
【図８Ａ】
2020508554.tif 000017
【図８Ｂ】
2020508554.tif 000018
【図９】
2020508554.tif 000019
【図１０Ａ】
2020508554.tif 000020
【図１０Ｂ】
2020508554.tif 000021
【図１１Ａ】
2020508554.tif 000022
【図１１Ｂ】
2020508554.tif 000023
【国際調査報告】
2020508554.tif 000024
2020508554.tif 000025
2020508554.tif 000026
2020508554.tif 000027
2020508554.tif 000028